(57)【要約】【課題】各ギフト企業において、注文資格に関するキー符合の判別の労力を免れ、しかも注文情報の処理に関する維持費、及び管理費の負担を軽減できるようなインターネットを介したカタログギフトの注文処理システムの構成を提供すること。【解決手段】注文客２において、注文資格を付与するキー符合と共に、少なくとも自らの住所氏名、及び注文商品を表示している注文情報をインターネットを介して、当該商品の送付元であるギフト企業３に伝達することによるカタログギフトの注文処理システムにおいて、注文客２からの注文情報を受信し、かつ当該注文情報の処理を行うコンピューターを備えている中間サーバー１を、複数の特定されたギフト企業３との間に通信可能な状態にて設け、当該中間サーバー１が、注文客２から伝達されたキー符合の正否を判別すると共に、注文情報に伴う情報に基づいて選択されたギフト企業３に対し、注文情報を伝達することに基づき、上記課題を解決することができるカタログギフトの注文処理システム。【選択図】　　　　　図１
2004086781.tif 000002
【特許請求の範囲】
【請求項１】
注文客において、注文資格を付与するキー符合と共に、少なくとも自らの住所氏名、及び注文商品を表示している注文情報をインターネットを介して、当該商品の送付元であるギフト企業に伝達することによるカタログギフトの注文処理システムにおいて、注文客からの注文情報を受信し、かつ当該注文情報の処理を行うコンピューターを備えている中間サーバーを、複数の特定されたギフト企業との間に通信可能な状態にて設け、当該中間サーバーが、注文客から伝達されたキー符合の正否を判別すると共に、注文情報に伴う情報に基づいて選択されたギフト企業に対し、注文情報を伝達することに基づくカタログギフトの注文処理システム。
【請求項２】
中間サーバーから各選択されたギフト企業に対して伝達される注文情報が、共通のファイル形式を採用していることを特徴とする請求項１記載のカタログギフトの注文処理システム。
【請求項３】
各ギフト企業において、中間サーバーから伝達された注文情報の処理状況の各段階につき、中間サーバーに送信し、中間サーバーにおいて当該処理状況の段階を記録することによって、注文客において自ら伝達した注文情報の処理状況を検索し得ることを特徴とする請求項１記載のカタログギフトの注文処理システム。
【請求項４】
中間サーバーが、各ギフト企業からの送信によって、各ギフト企業のギフト商品の在庫状況を記録し、特定のギフト企業において、目的とするギフト商品について在庫不足が生じた場合には、中間サーバーが、他のギフト企業に対し、当該目的とするギフト商品を注文客へ送付すべき旨の要請を行う信号を伝達し得ることを特徴とする請求項１記載のカタログギフトの注文処理システム。
【請求項５】
注文客から中間サーバーに伝達されるキー符合、又は注文情報に、懸賞用の符合を内包させ、中間サーバーにおいて、当選又は外れの判別を行い、当該判別に基づき、注文客の注文に対し所定の恩典を与えられる懸賞システムを付加したことを特徴とする請求項１記載のカタログギフトの注文処理システム。
【請求項６】
当選した注文客に対し、注文資格を付与した業者、又は注文客が注文したギフト商品を発送する企業においても、恩典を受けることができることを特徴とする請求項５記載のカタログギフトの注文処理システム。
【発明の詳細な説明】
【０００１】
【発明の属する技術分野】
本発明は、インターネットを使用したカタログギフトの注文処理システムに関するものである。
【０００２】
【従来の技術】
式、催物等に出席した顧客による注文客に対し、式、催物の主催者において、直接引物を渡す代わりにカタログを交付し、当該カタログ中から、注文客がギフト企業に対し引物であるギフト商品を選択し、郵送によって選択内容を伝達することによって、ギフト企業が注文客に対しギフト商品を送付するという、カタログギフトの注文処理システムは、既に周知のシステムとして確立されている。
【０００３】
しかも、近年においては、注文客のギフト企業に対し選択したギフト商品、自らの住所氏名、選択したギフト商品などによる注文情報を、インターネットを介して伝達するカタログギフトの注文処理システムも既に行われている。
【０００４】
上記インターネットを使用した注文処理システムの場合には、注文客において、自ら注文を行い得る資格を判別させるために、ギフト企業に対し、前記注文情報と共に注文客としての資格を証明するキー符合を伝達している。
【０００５】
そして、ギフト企業においては、注文客から伝達されたキー符合が自ら記録している符合と合致している場合には、ギフト商品の送付手続に移行し、逆に、注文客から伝達されたキー符合が上記の記録している符合と合致しない場合には、注文客によって伝達される注文情報を無視することができる。
【０００６】
これまでのインターネットを使用したカタログギフトの注文処理システムにおいては、ネット回線を介して直接ギフト企業が管理している端末コンピューターに対し、注文客からの情報の伝達が行われている。
【０００７】
しかしながら、個別のギフト企業が、インターネットを介した端末のコンピューターによって個別に注文客からの注文に対する処理を行う場合には、必然的に、各ギフト企業がキー符号と記録している符号とが合致しているか否かの判別処理を行うことが必要であるが、当該処理は、意外と煩雑である。
【０００８】
更には、各ギフト企業において注文情報に対する処理を行う場合には、当該情報処理に関する維持費、及び管理費を個別に全て負担しなければならない点において、極めて不経済である。
【０００９】
【発明が解決しようとする課題】
本発明は、前記の如き従来技術の状況に着目し、複数のギフト企業が共用できるような中間サーバーを介して、カタログギフトの注文処理システムを実現し、各ギフト企業における事務上の煩雑性、及び注文情報の処理に必要な維持費及び管理費の負担が軽減できるようなシステムの構成を提供することを課題とするものである。
【００１０】
【課題を解決するための手段】
前記の課題を解決するため、本発明の構成は、注文客において、注文資格を付与するキー符合と共に、少なくとも自らの住所氏名、及び注文商品を表示している注文情報をインターネットを介して、当該商品の送付元であるギフト企業に伝達することによるカタログギフトの注文処理システムにおいて、注文客からの注文情報を受信し、かつ当該注文情報の処理を行うコンピューターを備えている中間サーバーを、複数の特定されたギフト企業との間に通信可能な状態にて設け、当該中間サーバーが、注文客から伝達されたキー符合の正否を判別すると共に、注文情報に伴う情報に基づいて選択されたギフト企業に対し、注文情報を伝達することに基づくカタログギフトの注文処理システムからなる。
【００１１】
【発明の実施の形態】
図１に示すように、本発明においては、インターネット回線中に中間サーバー１を設け、当該中間サーバー１は、複数の特定されたギフト企業３との間にて通信可能な状態とし、かつ自ら備えているコンピューターに基づいて、注文客２からのキー符合が中間サーバー１において記憶されている符号と合致しているか否かを判断し、合致している場合には、更に注文情報を受信し、かつその後の処理を行う。
【００１２】
注文情報に伴って、ギフト企業３を選択する方法が伝達されるが、当該情報は、キー符合中に包摂させる場合、又は注文情報とは別に、情報として設ける場合の双方が可能である。
【００１３】
何れにせよ、本発明のシステムにおいては、中間サーバー１が注文客２から伝達されたキー符合の正否を判別するので、各企業において当該判別に伴う煩雑性を免れることができる。
【００１４】
中間サーバー１は、各ギフト企業３に対し、例えばＣＳＶファイル等の統一された共通のファイル形式の情報にアレンジしたうえで、注文客２から伝達された情報を送付する場合には、注文情報の伝達において、各企業毎に異なる表示方式を採用しなければならない煩雑性を免れることにおいて便利である。
【００１５】
このように、本発明のシステムにおいては、共用の中間サーバー１において備えているコンピューターによって、キー符号の処理、更には注文情報の処理を一括して行うことができ、これらの処理に要する維持費及び管理費を、共同の負担によって軽減することができる。
【００１６】
本発明のシステムにおいては、各ギフト企業３において、中間サーバー１から伝達された注文情報の処理状況の各段階につき、中間サーバー１に送信し、中間サーバー１において当該処理状況の段階を記録することによって注文客２において自ら伝達した注文情報の処理状況を検索することができる。
【００１７】
尚、注文処理状況の段階としては、
▲１▼ギフト商品の発送処理が行われていない段階、
▲２▼ギフト商品の発送処理済の段階
の２種類に対応した符合を、中間サーバー１に送信し、中間サーバー１においては、送信された符号を変換することによって上記▲１▼、▲２▼の何れかを表示すると良い。
【００１８】
更には、上記▲１▼の場合には、発送を予定している時期を特定したうえで、中間サーバー１に送信し、当該特定された時期を中間サーバー１において表示することも可能である。
【００１９】
以下、本発明の実施例に即して説明する。
【００２０】
【実施例１】
実施例１は、複数のギフト企業３が中間サーバー１を介して注文情報を共用していることに基づき、ギフト賞品の発送に便宜を図っている場合を示す。
【００２１】
各ギフト企業３は、中間サーバー１を介して注文情報に基づくギフト商品を備え、必要に応じて注文客２に発送しているが、注文されたギフト商品が常に在庫しているとは限らない。
【００２２】
実施例１においては、中間サーバー１が、各ギフト企業３からの送信によって各ギフト企業３のギフト商品の在庫状況を記録し、例えば図２のフローチャートに示すように、特定のギフト企業３において、目的とするギフト商品について在庫不足が生じた場合には、中間サーバー１が他のギフト企業３に対し、当該目的とするギフト商品を注文客２へ送付すべき旨の要請を行う信号を伝達し得ることを特徴としている。
【００２３】
無論、在庫不足を生じた特定の企業と当該ギフト賞品を発送した他の企業においては事後の精算関係を必要とするが、このような中間サーバー１が各ギフト企業３の在庫状況を統括することによって、在庫不足によるアクシデントに対処することができる。
【００２４】
実施例１においては、上記のような各ギフト企業間における在庫不足に対する協力だけでなく、中間サーバー１自体が直接在庫管理を行い、各ギフト企業３は中間サーバー１において在庫管理を行っているギフト商品を、中間サーバー１から伝達された注文情報に基づいて発送する方式を採用することもできる。
【００２５】
このように、中間サーバー１が自ら在庫管理を行う場合には、各ギフト企業３以外の第三者において、在庫品の購入、及び各ギフト企業３への提供に関する計算を行うか、又は各企業の共同出費に基づいて、在庫品の購入、及び各ギフト企業３への提供を行い、必要に応じて、当該共同出費については、各ギフト企業３が在庫品の提供を受けた頻度に応じて事後精算を行うと良い。
【００２６】
【実施例２】
実施例２は、注文客２から中間サーバー１に伝達されるキー符合、又は注文情報に懸賞用の符合を内包させ、中間サーバー１において、当選又は外れの判別を行い、当該判別に基づき、注文客２の注文に対し所定の恩典を与えられる懸賞システムを付加したことを特徴としている。
【００２７】
上記において、懸賞符号をキー符号に内包させる場合としては、キー符号と兼用させる方式を採用することが可能であり、他方注文情報に内包させる方式としては、特別の住所地などを符号と兼用させる方式、又は住所、氏名、注文商品とは別に、懸賞符号を注文情報として取り扱う方式を採用することができる。
【００２８】
注文客２が懸賞に当選した場合には、当該注文客２において、例えば一定の景品の受領などによる恩典を付与し得る点では、通常の懸賞システムの場合と同様である。
【００２９】
そして、当選に伴う恩典の負担は、中間サーバー１を共用しているギフト企業間において、予め当選する符号について、客観的な確率によって相互に割り当てることによって、公平な負担を実現することができる。
【００３０】
実施例２においては、中間サーバー１を各ギフト企業３が共用しており、しかも、各ギフト企業３に対応して注文客２に対し注文資格を付与している業者（具体的には、式、催物等を主催している業者４）が存在することから、各ギフト企業３、又は当該業者４においても、当選によって一定の恩典を付与することも可能である。
【００３１】
当該業者４に対する恩典としては、例えばギフト企業３に対し負担する売掛金の割引を想定することができ、更には各ギフト企業３に対する恩典としては、システム利用料の割引などを想定することができる。
【００３２】
上記業者、及び各ギフト企業３における当選は、注文客２の当選と兼用させる場合、又は独立させる場合の何れをも採用可能であるが、注文客２の購入意欲を促進させるために、注文客２の当選と兼用させる場合が多い。
【００３３】
尚、注文客２と上記業者４又は各ギフト企業３とが共に当選者となる場合には、当該業者４、又は各ギフト企業３に対応した符号を設定し、かつ当該設定した符号と注文客２による当選符号とをランダムな確率によって対応関係にあるようにすること（例えば、当選符合を数値化したうえで、そのｍ倍以上であり、かつｎ倍以下であるような数値に対応する設定符合を、当該業者４、又は各ギフト企業３の当選符合とした場合において、ｍ、及びｎをランダムに変化させること）によって、公平な当選確率を得ると共に、如何なる業者４又は如何なるギフト企業３が当選するかについて、最後まで射幸的な興味、即ち偶然性を期待する興味を抱かせることが可能となる。
【００３４】
【発明の効果】
このように、本発明のシステムにおいては、キー符合、及び注文情報を受信し、かつ自ら備えているコンピューターによって処理する共用の中間サーバーを設けることに基づき、各ギフト企業においては、キー符合の処理の労力を免れ、しかも注文情報の処理に必要な維持費及び管理費について共同負担によって軽減することができ、更には、各ギフト企業において、中間サーバーから伝達された注文情報の処理状況の段階を、中間サーバーに送信した場合には、注文客においては、中間サーバーを介して注文情報がどのように処理されているかについて、検索することができる。
【００３５】
このように、本発明は幾つかの長所を有しており、その価値は絶大である。
【図面の簡単な説明】
【図１】本発明の基本システムを示すブロック図である。尚、実線の矢印はカタログの移転方向を示し、点線の矢印は情報の移転方向を示す。
【図２】実施例２において選択されたギフト企業におけるギフト商品の在庫の有無、及び他の企業における在庫の有無を判別し、かつ該判別に基づいて処理を行うことに関するフローチャートである。尚、図２において、Ｎは、中間サーバーを共用しているギフト企業の総数である。
【符号の説明】
１：中間サーバー
２：注文客
３：ギフト企業
４：式、催物の主催を行っている業者
【図１】
2004086781.tif 000003
【図２】
2004086781.tif 000004